【手続補正書】
【提出日】平成17年3月22日(2005.3.22)
【手続補正１】
【補正対象書類名】特許請求の範囲
【補正対象項目名】全文
【補正方法】変更
【補正の内容】
【特許請求の範囲】
【請求項１】
複数の場所の実況映像をそれぞれ取得するための映像取得手段と、
前記映像取得手段により取得された実況映像を外部に送信するための映像送信手段と、
ユーザーの現在位置情報を取得するための現在位置取得手段と、
前記現在位置取得手段により取得されたユーザーの現在位置情報に基づいて、前記各映像取得手段により取得された実況映像の中、ユーザーの現在位置又はその近くに存在する一つ又は複数の場所の実況映像を、略リアルタイムに前記映像送信手段からオンラインで受信するための映像受信手段と、
前記映像受信手段により受信された実況映像を略リアルタイムに表示するための映像表示手段と、
を備えたことを特徴とする現在位置近傍映像の略リアルタイム提供システム。
【請求項２】
複数の場所の実況映像をそれぞれ取得するための映像取得手段と、
ユーザーの現在位置情報を取得するための現在位置取得手段と、
前記現在位置取得手段により取得されたユーザーの現在位置情報に基づいて、前記各映像取得手段により取得された実況映像の中、ユーザーの現在位置又はその近くに存在する一つ又は複数の場所の実況映像を特定するための映像特定手段と、
前記映像特定手段により特定されたユーザーの現在位置又はその近くに存在する一つ又は複数の場所の実況映像を、ユーザー側に略リアルタイムに表示させるために、オンラインで略リアルタイムにユーザー側に送信するための映像送信手段と、
を備えたことを特徴とする現在位置近傍映像の略リアルタイム提供システム。
【請求項３】
請求項１において、
ユーザーの移動方向を取得するための移動方向取得手段を備え、
前記映像取得手段により取得される実況映像は、対応する各場所の位置データと前記映像取得手段による撮像の方向を示す方向データとにより識別可能になっており、
前記映像受信手段は、前記移動方向取得手段からの移動方向情報に基づいて、「前記ユーザーの現在位置又はその近くに存在する一つ又は複数の場所の実況映像であって、前記映像取得手段による撮像の方向がユーザーの移動方向と一致又は近似するような実況映像」を、受信するものである、ことを特徴とする略リアルタイム映像提供システム。
【請求項４】
請求項２において、
ユーザーの移動方向を求めるための移動方向取得手段を備え、
前記映像取得手段により取得される実況映像は、対応する各場所の位置データと前記映像取得手段による撮像の方向を示す方向データとにより識別可能になっており、
前記映像特定手段は、前記移動方向取得手段からの移動方向情報に基づいて、「前記ユーザーの現在位置又はその近くに存在する一つ又は複数の場所の実況映像であって、前記映像取得手段による撮像の方向がユーザーの移動方向と一致又は近似するような実況映像」を、特定するものである、ことを特徴とする略リアルタイム映像提供システム。
【請求項５】
請求項３又は４において、前記移動方向取得手段は、ユーザーの現在位置からユーザーが希望する目的地への経路情報に基づいてユーザーの移動方向を求めるものである、ことを特徴とする略リアルタイム映像提供システム。
【請求項６】
遠隔地の状況をユーザーが略リアルタイムに知ることができる実況映像等提供システムであって、
複数の場所の実況映像をそれぞれ略リアルタイムに取得するためにそれぞれ設けられた実況映像取得手段と、
前記実況映像取得手段により取得された実況映像を外部に送信するための実況映像送信手段と、
ユーザーの現在位置情報を取得するための現在位置取得手段と、
前記現在位置取得手段により取得されたユーザーの現在位置情報に基づいて、前記映像取得手段により取得された実況映像の中、ユーザーの現在位置又はその近くに存在する一つ又は複数の場所の実況映像を、略リアルタイムに前記映像送信手段からオンラインで受信するための実況映像受信手段と、
前記実況映像受信手段により受信された実況映像を略リアルタイムに表示するための実況映像表示手段と、
前記実況映像取得手段の近傍に備えられ、前記実況映像取得手段の設置された場所の匂いの情報を取得するための匂い情報取得手段と、
前記映像表示手段の近傍に備えられ、前記映像表示手段によりある実況映像が表示されているとき、前記匂い情報取得手段により取得された匂い情報に基づいて、前記映像表示手段により表示されている実況映像に対応する場所の匂いを発生させるための匂い発生手段と、
を備えたことを特徴とする実況映像等提供システム。
【請求項７】
遠隔地の状況をユーザーが略リアルタイムに知ることができる実況映像等提供システムであって、
複数の場所の実況映像をそれぞれ略リアルタイムに取得するためにそれぞれ設けられた実況映像取得手段と、
前記実況映像取得手段により取得された実況映像を外部に送信するための実況映像送信手段と、
ユーザーの現在位置情報を取得するための現在位置取得手段と、
前記現在位置取得手段により取得されたユーザーの現在位置情報に基づいて、前記映像取得手段により取得された実況映像の中、ユーザーの現在位置又はその近くに存在する一つ又は複数の場所の実況映像を、略リアルタイムに前記映像送信手段からオンラインで受信するための実況映像受信手段と、
前記実況映像受信手段により受信された実況映像を略リアルタイムに表示するための実況映像表示手段と、
前記実況映像取得手段の近傍に備えられ、前記実況映像取得手段の設置された場所の匂いの情報を取得するための匂い情報取得手段と、
前記匂い情報取得手段により取得された匂い情報に基づいて、前記匂いと同一又は近似した匂いを発生させるための芳香成分データを取得するための芳香成分データ取得手段と、
前記映像表示手段の近傍に備えられ、前記映像表示手段によりある実況映像が表示されているとき、前記芳香成分データ取得手段からの芳香成分データに基づいて、前記映像表示手段により表示されている実況映像に対応する場所の匂いを発生させるための匂い発生手段と、
を備えたことを特徴とする実況映像等提供システム。
【請求項８】
遠隔地の状況をユーザーが略リアルタイムに知ることができる実況映像等提供システムであって、
複数の場所の実況映像をそれぞれ略リアルタイムに取得するために各場所にそれぞれ設けられた実況映像取得手段と、
前記実況映像取得手段により取得された実況映像を外部に送信するための実況映像送信手段と、
前記各実況映像を互いに識別するための実況映像識別データを、所定の文字列・図形・画像などから成るキー・データと関連付けて記録するための実況映像識別データベース手段と、
ユーザーから入力された文字列・図形・画像などから成るキー・データに基づいて、前記実況映像識別データベース手段から前記文字列・図形・画像などから成るキー・データに対応する実況映像識別データを取得し、この実況映像識別データに対応する実況映像を略リアルタイムに前記実況映像送信手段からオンラインで受信するための実況映像受信手段と、
前記実況映像受信手段により受信された実況映像を略リアルタイムに表示するための実況映像表示手段と、
前記実況映像取得手段の近傍に備えられ、前記実況映像取得手段の設置された場所の匂いの情報を取得するための匂い情報取得手段と、
前記映像表示手段の近傍に備えられ、前記映像表示手段によりある実況映像が表示されているとき、前記匂い情報取得手段により取得された匂い情報に基づいて、前記匂いと同一又は近似する匂いを、発生させるための匂い発生手段と、
を備えたことを特徴とする実況映像等提供システム。
【請求項９】
遠隔地の状況をユーザーが略リアルタイムに知ることができる実況映像等提供システムであって、
複数の場所の実況映像をそれぞれ略リアルタイムに取得するために各場所にそれぞれ設けられた実況映像取得手段と、
前記実況映像取得手段により取得された実況映像を外部に送信するための実況映像送信手段と、
前記各実況映像を互いに識別するための実況映像識別データを、所定の文字列・図形・画像などから成るキー・データと関連付けて記録するための実況映像識別データベース手段と、
ユーザーから入力された文字列・図形・画像などから成るキー・データに基づいて、前記実況映像識別データベース手段から前記文字列・図形・画像などから成るキー・データに対応する実況映像識別データを取得し、この実況映像識別データに対応する実況映像を略リアルタイムに前記実況映像送信手段からオンラインで受信するための実況映像受信手段と、
前記実況映像受信手段により受信された実況映像を略リアルタイムに表示するための実況映像表示手段と、
前記実況映像取得手段の近傍に備えられ、前記実況映像取得手段の設置された場所の匂いの情報を取得するための匂い情報取得手段と、
前記匂い情報取得手段により取得された匂い情報に基づいて、前記匂いと同一又は近似した匂いを発生させるための芳香成分データを取得するための芳香成分データ取得手段と、
前記映像表示手段の近傍に備えられ、前記映像表示手段によりある実況映像が表示されているとき、前記芳香成分データ取得手段からの芳香成分データに基づいて、前記匂いと同一又は近似する匂いを、発生させるための匂い発生手段と、
を備えたことを特徴とする実況映像等提供システム。
【請求項１０】
遠隔地にある飲食店の店内の雰囲気や客の混雑状況などをユーザーが略リアルタイムに知ることができる飲食店内実況映像等提供システムであって、
複数の飲食店内の実況映像をそれぞれ略リアルタイムに取得するために各飲食店内にそれぞれ設けられた実況映像取得手段と、
前記実況映像取得手段により取得された実況映像を外部に送信するための実況映像送信手段と、
ユーザーの現在位置情報を取得するための現在位置取得手段と、
前記現在位置取得手段により取得されたユーザーの現在位置情報に基づいて、前記映像取得手段により取得された実況映像の中、ユーザーの現在位置又はその近くに存在する一つ又は複数の飲食店内の実況映像を、略リアルタイムに前記映像送信手段からオンラインで受信するための実況映像受信手段と、
前記実況映像受信手段により受信された実況映像を略リアルタイムに表示するための実況映像表示手段と、
前記実況映像取得手段の近傍に備えられ、前記実況映像取得手段の設置された飲食店内の匂いの情報を取得するための匂い情報取得手段と、
前記映像表示手段の近傍に備えられ、前記映像表示手段によりある実況映像が表示されているとき、前記匂い情報取得手段により取得された匂い情報に基づいて、前記映像表示手段により表示されている実況映像に対応する飲食店内の匂いを発生させるための匂い発生手段と、
を備えたことを特徴とする飲食店内実況映像等提供システム。
【請求項１１】
遠隔地にある飲食店の店内の雰囲気や客の混雑状況などをユーザーが略リアルタイムに知ることができる飲食店内実況映像等提供システムであって、
複数の飲食店内の実況映像をそれぞれ略リアルタイムに取得するために各飲食店内にそれぞれ設けられた実況映像取得手段と、
前記実況映像取得手段により取得された実況映像を外部に送信するための実況映像送信手段と、
ユーザーの現在位置情報を取得するための現在位置取得手段と、
前記現在位置取得手段により取得されたユーザーの現在位置情報に基づいて、前記映像取得手段により取得された実況映像の中、ユーザーの現在位置又はその近くに存在する一つ又は複数の飲食店内の実況映像を、略リアルタイムに前記映像送信手段からオンラインで受信するための実況映像受信手段と、
前記実況映像受信手段により受信された実況映像を略リアルタイムに表示するための実況映像表示手段と、
前記実況映像取得手段の近傍に備えられ、前記実況映像取得手段の設置された飲食店内の匂いの情報を取得するための匂い情報取得手段と、
前記匂い情報取得手段により取得された匂い情報に基づいて、前記匂いと同一又は近似した匂いを発生させるための芳香成分データを取得するための芳香成分データ取得手段と、
前記映像表示手段の近傍に備えられ、前記映像表示手段によりある実況映像が表示されているとき、前記芳香成分データ取得により取得された芳香成分データに基づいて、前記映像表示手段により表示されている実況映像に対応する飲食店内の匂いを発生させるための匂い発生手段と、
を備えたことを特徴とする飲食店内実況映像等提供システム。
【請求項１２】
遠隔地にある飲食店の店内の雰囲気や客の混雑状況などをユーザーが略リアルタイムに知ることができる飲食店内実況映像等提供システムであって、
複数の飲食店内の実況映像をそれぞれ略リアルタイムに取得するために各飲食店内にそれぞれ設けられた実況映像取得手段と、
前記実況映像取得手段により取得された実況映像を外部に送信するための実況映像送信手段と、
ユーザーの現在位置情報を取得するための現在位置取得手段と、
ユーザーが希望する目的地の情報を入力するための目的地入力手段と、
前記現在位置取得手段からの現在位置情報と前記目的地入力手段からの目的地情報とに基づいて、ユーザーの現在位置からユーザーが希望する目的地までの移動経路を求めるための移動経路取得手段と、
前記移動経路取得手段からの移動経路情報に基づいて、前記映像取得手段により取得された実況映像の中、前記移動経路の途中に存在する一つ又は複数の飲食店内の実況映像を、略リアルタイムに前記映像送信手段からオンラインで受信するための映像受信手段と、
前記映像受信手段により受信された実況映像を略リアルタイムに表示するための映像表示手段と、
前記実況映像取得手段の近傍に備えられ、前記実況映像取得手段の設置された飲食店内の匂いの情報を取得するための匂い情報取得手段と、
前記映像表示手段の近傍に備えられ、前記映像表示手段によりある実況映像が表示されているとき、前記匂い情報取得手段により取得された匂い情報に基づいて、前記映像表示手段により表示されている実況映像に対応する飲食店内の匂いを発生させるための匂い発生手段と、
を備えたことを特徴とする飲食店内実況映像等提供システム。
【請求項１３】
遠隔地にある飲食店の店内の雰囲気や客の混雑状況などをユーザーが略リアルタイムに知ることができる飲食店内実況映像等提供システムであって、
複数の飲食店内の実況映像をそれぞれ略リアルタイムに取得するために各飲食店内にそれぞれ設けられた実況映像取得手段と、
前記実況映像取得手段により取得された実況映像を外部に送信するための実況映像送信手段と、
ユーザーの現在位置情報を取得するための現在位置取得手段と、
ユーザーが希望する目的地の情報を入力するための目的地入力手段と、
前記現在位置取得手段からの現在位置情報と前記目的地入力手段からの目的地情報とに基づいて、ユーザーの現在位置からユーザーが希望する目的地までの移動経路を求めるための移動経路取得手段と、
前記移動経路取得手段からの移動経路情報に基づいて、前記映像取得手段により取得された実況映像の中、前記移動経路の途中に存在する一つ又は複数の飲食店内の実況映像を、略リアルタイムに前記映像送信手段からオンラインで受信するための映像受信手段と、
前記映像受信手段により受信された実況映像を略リアルタイムに表示するための映像表示手段と、
前記実況映像取得手段の近傍に備えられ、前記実況映像取得手段の設置された飲食店内の匂いの情報を取得するための匂い情報取得手段と、
前記匂い情報取得手段により取得された匂い情報に基づいて、前記匂いと同一又は近似した匂いを発生させるための芳香成分データを取得するための芳香成分データ取得手段と、
前記映像表示手段の近傍に備えられ、前記映像表示手段によりある実況映像が表示されているとき、前記芳香成分データ取得手段からの芳香成分データに基づいて、前記映像表示手段により表示されている実況映像に対応する飲食店内の匂いを発生させるための匂い発生手段と、
を備えたことを特徴とする飲食店内実況映像等提供システム。
【請求項１４】
遠隔地にある飲食店の店内の雰囲気や客の混雑状況などをユーザーが略リアルタイムに知ることができる飲食店内実況映像等提供システムであって、
複数の飲食店内の実況映像をそれぞれ略リアルタイムに取得するために各飲食店内にそれぞれ設けられた実況映像取得手段と、
前記実況映像取得手段により取得された実況映像を外部に送信するための実況映像送信手段と、
前記各実況映像を互いに識別するための実況映像識別データを、所定の文字列・図形・画像などから成るキー・データと関連付けて記録するための実況映像識別データベース手段と、
ユーザーから入力された文字列・図形・画像などから成るキー・データに基づいて、前記実況映像識別データベース手段から前記文字列・図形・画像などから成るキー・データに対応する実況映像識別データを取得し、この実況映像識別データに対応する実況映像を略リアルタイムに前記実況映像送信手段からオンラインで受信するための実況映像受信手段と、
前記実況映像受信手段により受信された実況映像を略リアルタイムに表示するための実況映像表示手段と、
前記実況映像取得手段の近傍に備えられ、前記実況映像取得手段の設置された飲食店内の匂いの情報を取得するための匂い情報取得手段と、
前記映像表示手段の近傍に備えられ、前記映像表示手段によりある実況映像が表示されているとき、前記匂い情報取得手段により取得された匂い情報に基づいて、前記映像表示手段により表示されている実況映像に対応する飲食店内の匂いを発生させるための匂い発生手段と、
を備えたことを特徴とする飲食店内実況映像等提供システム。
【請求項１５】
遠隔地にある飲食店の店内の雰囲気や客の混雑状況などをユーザーが略リアルタイムに知ることができる飲食店内実況映像等提供システムであって、
複数の飲食店内の実況映像をそれぞれ略リアルタイムに取得するために各飲食店内にそれぞれ設けられた実況映像取得手段と、
前記実況映像取得手段により取得された実況映像を外部に送信するための実況映像送信手段と、
前記各実況映像を互いに識別するための実況映像識別データを、所定の文字列・図形・画像などから成るキー・データと関連付けて記録するための実況映像識別データベース手段と、
ユーザーから入力された文字列・図形・画像などから成るキー・データに基づいて、前記実況映像識別データベース手段から前記文字列・図形・画像などから成るキー・データに対応する実況映像識別データを取得し、この実況映像識別データに対応する実況映像を略リアルタイムに前記実況映像送信手段からオンラインで受信するための実況映像受信手段と、
前記実況映像受信手段により受信された実況映像を略リアルタイムに表示するための実況映像表示手段と、
前記実況映像取得手段の近傍に備えられ、前記実況映像取得手段の設置された飲食店内の匂いの情報を取得するための匂い情報取得手段と、
前記匂い情報取得手段により取得された匂い情報に基づいて、前記匂いと同一又は近似した匂いを発生させるための芳香成分データを取得するための芳香成分データ取得手段と、
前記映像表示手段の近傍に備えられ、前記映像表示手段によりある実況映像が表示されているとき、前記芳香成分データ取得手段からの芳香成分データに基づいて、前記映像表示手段により表示されている実況映像に対応する飲食店内の匂いを発生させるための匂い発生手段と、
を備えたことを特徴とする飲食店内実況映像等提供システム。